(57)【要約】【課題】  タッチパネルにより操作することが可能な情報端末では、タッチパネルの操作は情報端末に付属する入力ペンを使用して行うが、情報端末に付属する入力ペン以外のものを用いても、操作を行うことは可能であり、先端が硬いものや鋭利なものでタッチパネルを操作した場合の問題点として、タッチパネルの表面が傷つきタッチパネルの寿命を短縮させることが挙げられる。【解決手段】  情報端末の入力ペン収納部に入力ペンの取り出しを検知する入力ペン検出装置を設け、入力ペン検出装置からの検出信号によりタッチパネルの入力機能の有効／無効を切り替える。さらに、情報端末本体の電源をオンにした時は、前記タッチパネルの入力機能は無効の状態であり、前記入力ペンを取り出す際の入力ペン取り出し検出信号を検出したときのみ前記タッチパネルの入力機能を有効に切り替えることを特徴とする。【選択図】  図２
2007249439.tif 000002
【特許請求の範囲】
【請求項１】
タッチパネルのペン押下により操作情報を入力するペン入力端末のペン入力制御方法において、
入力ペンが当該端末のペン収納部に収納されているか否かを検知するステップと、
前記ペン収納部のペンの収納状態に応じてタッチパネルの入力機能の有効無効を設定するステップと、
前記ペン収納部からのペンの取り出しを検知した時にタッチパネルの入力機能を有効に設定し、前記ペン収納部にペンを収容したことを検知した時にタッチパネルの入力機能を無効に設定するステップとを有することを特徴とするペン入力端末のペン入力制御方法。
【請求項２】
請求項１記載のペン入力端末のペン入力制御方法において、さらに、
前記ペン入力端末の電源オン時にタッチパネルの入力機能を無効に設定するステップと、
前記タッチパネルの入力機能が無効に設定されたときに前記タッチパネルの入力機能が無効であることを通知するステップと、
前記タッチパネルの入力機能が有効に設定されたときに前記タッチパネルの入力機能が無効であることの通知を取り消すステップとを有することを特徴とする。
【請求項３】
タッチパネルのペン押下により操作情報を入力するペン入力端末のペン入力制御方法において、
入力ペンが当該端末のペン収納部に収納されているか否かを検知するステップと、
前記ペン収納部のペンの収納状態に応じてタッチパネルの入力情報の有効無効を設定するステップと、
タッチパネルの入力情報が無効に設定されているときにタッチパネルにペン押下により操作情報が入力された場合、前記タッチパネルの入力情報が無効であることを通知するステップとを有することを特徴とするペン入力端末のペン入力制御方法。
【発明の詳細な説明】
【技術分野】
【０００１】
本発明は、タッチパネルからの入力機能を備えた情報端末に関するものである。
【背景技術】
【０００２】
屋外での使用も考慮したＰＣ（Ｐｅｒｓｏｎａｌ  Ｃｏｍｐｕｔｅｒ）やＰＤＡ（Ｐｅｒｓｏｎａｌ Ｄｉｇｉｔａｌ  Ａｓｓｉｓｔａｎｔｓ）では、表示装置の表面に重ねて設置されたタッチパネルを入力ペンでタップすることにより、表示装置に表示されたアプリケーションを操作したり、手書き文字を入力したりすることが可能である。またタッチパネルは操作性の良さから、近年、携帯電話にも搭載されている。
【０００３】
通常、タッチパネルの入力機能により操作することが可能な情報端末では、タッチパネルの操作は情報端末に付属する専用の入力ペンを使用して行う。また、入力ペンは、使用者が使用していない時には、情報端末に備え付けられた入力ペン収納部に収納されており、使用者がタッチパネルの操作を行う時に入力ペン収納部より取り出される。
【０００４】
このようなタッチパネルを使用した従来技術では、通話中に身体の一部が接触した時の誤動作を防止するため、情報端末にタッチパネルの入力機能の有効／無効を切り替るための手段を備え、通話中にはタッチパネルによる入力を無効にする技術がある。（例えば、特許文献１参照）
また、他の従来技術には、タッチペンからの入力操作時の画面切り替えの簡略化のため、タッチパネル使用時に取り外す入力ペン兼用保護カバーの着脱を検出する着脱検出装置を設け、着脱に応じて表示モードを切り替える技術がある。（例えば、特許文献２参照）
【特許文献１】特開平９−１８５６６号公報
【特許文献２】特開２００１−２２５２１号公報
【発明の開示】
【発明が解決しようとする課題】
【０００５】
ところで、タッチパネルの入力機能により操作することが可能な情報端末では、タッチパネルの操作は情報端末に付属する入力ペンを使用している。しかし、情報端末に付属する入力ペン以外のものを用いても操作を行うことは可能であり、例えばボールペンのようなものを用いても操作することは可能である。タッチパネルを情報端末に付属の入力ペン以外のもので操作する状況は、
（１）入力ペンを収納部に収納したまま取り外さないで、ボールペン等で操作する。
（２）入力ペンを紛失したりして見当たらないので、ボールペン等で操作する。
の２つの場合が考えられる。
【０００６】
このような状況において、ボールペンのような先端が硬いもの、あるいは、先端が鋭利なものでタッチパネルを操作した場合には、タッチパネルの表面が傷つきタッチパネルの寿命を短縮させるという問題が発生する。
【０００７】
しかしながら、上記特許文献１記載の従来技術では、使用者がタッチパネルの入力機能の有効／無効を自由に切り替えることができるので、使用者がタッチパネルの入力機能を有効としている場合、入力ペンを収納部に収納したまま取り外さない場合や入力ペンを紛失したりして見当たらない状況においても、使用者はボールペン等を使用してタッチパネルの操作を行うことが可能となってしまう。そのため、ボールペンのような先端が硬いもの、あるいは、先端が鋭利なものでタッチパネルを操作した場合には、タッチパネルの表面が傷つきタッチパネルの寿命を短縮させるという問題が発生する。
【０００８】
また、上記特許文献２記載の従来技術では、入力ペン兼用保護カバーが取り外されている場合には入力ペン使用時の表示モードとしている。そのため、上記した状況２）のような入力ペンをなくしたりして見当たらない場合にも、タッチパネルの入力機能は有効のままであるので、ボールペン等を使用してタッチパネルの操作を行うことが可能となってしまう。そのため、ボールペンのような先端が硬いもの、あるいは、先端が鋭利なものでタッチパネルを操作した場合には、タッチパネルの表面が傷つきタッチパネルの寿命を短縮させるという問題が発生する。
【０００９】
本発明の目的は、情報端末に付属する入力ペン以外のものでタッチパネルを操作することを防ぎ、ボールペンのような先端が硬いもの使用によるタッチパネルの表面の傷つきを防止することのできる情報端末を提供することにある。
【課題を解決するための手段】
【００１０】
上記課題を解決するため本発明のタッチパネルのペン押下により操作情報を入力するペン入力端末のペン入力制御方法は、入力ペンが当該端末のペン収納部に収納されているか否かを検知するステップと、前記ペン収納部のペンの収納状態に応じてタッチパネルの入力機能の有効無効を設定するステップと、前記ペン収納部からのペンの取り出しを検知した時にタッチパネルの入力機能を有効に設定し、前記ペン収納部にペンを収容したことを検知した時にタッチパネルの入力機能を無効に設定するステップとを有するようにした。
【００１１】
さらに、前記ペン入力端末の電源オン時にタッチパネルの入力機能を無効に設定するステップと、前記タッチパネルの入力機能が無効に設定されたときに前記タッチパネルの入力機能が無効であることを通知するステップと、前記タッチパネルの入力機能が有効に設定されたときに前記タッチパネルの入力機能が無効であることの通知を取り消すステップとを有するようにした。
【００１２】
また、本発明のタッチパネルのペン押下により操作情報を入力するペン入力端末のペン入力制御方法は、入力ペンが当該端末のペン収納部に収納されているか否かを検知するステップと、前記ペン収納部のペンの収納状態に応じてタッチパネルの入力情報の有効無効を設定するステップと、タッチパネルの入力情報が無効に設定されているときにタッチパネルにペン押下により操作情報が入力された場合、前記タッチパネルの入力情報が無効であることを通知するステップとを有するようにした。
【発明の効果】
【００１３】
本発明によれば、付属の入力ペンを取り外したことを検出した時にのみタッチパネルの入力機能を有効にすることにより、情報端末に付属する入力ペン以外のものを用いてタッチパネルを操作することを防ぐことにより、ボールペンのような先端が硬いもの使用によりタッチパネルの表面が傷つき、タッチパネルの寿命が短縮すること防ぐことができる。
【発明を実施するための最良の形態】
【００１４】
以下、本発明における情報端末の第１の実施例を図１〜図３を用いて説明する。
本発明における情報端末の構成及び動作について図１を用いて説明する。図１に、本発明における情報端末１００の構成例を示したブロック図を示す。
【００１５】
図１において、制御装置１１０は情報端末１００全体の制御を行う装置であり、ＣＰＵ（Ｃｅｎｔｒａｌ  Ｐｒｏｃｅｓｓｉｎｇ  Ｕｎｉｔ）などから構成される。また制御装置１１０はバスを介してプログラム格納装置１２０、メモリ１３０、表示機能部１４０、ペン入力装置１５０、入力装置１６０、入力ペン検出装置１７０と接続している。
【００１６】
プログラム格納装置１２０は制御装置１１０において実行されるプログラム、情報端末１００を動作させるために必要なデータ及び表示用データなどをあらかじめ記憶している装置である。
【００１７】
メモリ１３０はプログラム実行領域とデータ記憶領域に分割されて利用される。プログラム実行領域は制御装置１１０により呼び出されたプログラム格納装置１２０に記憶されたプログラムを実行する領域である。データ記憶領域は使用者が作成したデータや使用者がインストールしたプログラムを記憶する領域である。
【００１８】
表示機能部１４０は、表示装置１４１、表示制御装置１４２、表示用メモリ１４３とから構成される。表示制御装置１４２はプログラム格納装置１２０に記憶された表示用データを呼び出し、呼び出したデータを表示制御装置１４２と接続された表示用メモリ１４３に一時的に記憶し、更に記憶したデータを表示する形式に変換し、連続的に表示装置１４１に送ることにより、表示装置１４１に情報を表示する装置である。表示用メモリ１４３は表示装置１４１に表示する画面を記憶するメモリであり、表示装置１４１に画面を表示するために高速な読み書きが可能である。使用者は表示装置１４１に表示された画面により、情報端末１００の情報などを認識する。
【００１９】
ペン入力装置１５０は、表示装置１４１に重ねて設置されており、タッチパネル１５１、タッチパネル制御装置１５２とから構成される。タッチパネル１５１は縦軸と横軸の両端に電極を持つ抵抗膜から構成されており、使用者がその表面を入力ペン１８０でタップした時、押された位置で分圧した電圧値を出力する装置である。タッチパネル制御装置１５２は分圧された電圧値を読み取ることにより、タップされた位置座標を検出し、制御装置１１０に伝える。使用者が表示装置１４１に表示されたアイコンやボタンを入力ペン１８０でタップすることにより、制御装置１１０は使用者の入力に対応したプログラムをプログラム格納装置１２０より呼び出し、実行する。またタッチパネル制御装置１５２は制御装置１１０からの指示により、タッチパネル１５１の入力機能の有効／無効を切り替える。
【００２０】
入力装置１６０は使用者が情報端末１００を操作する際に使用する操作部分であり、情報端末１００の電源のオン／オフを切り替える電源ボタン１６１、表示装置１４１に表示された情報から任意の項目を選択するためのカーソルボタン１６２、表示装置１４１に表示された任意の項目を実行するための実行ボタン１６３から構成される。使用者が電源ボタン１６１、カーソルボタン１６２、実行ボタン１６３を押すことにより、制御装置１１０は使用者の入力に対応したプログラムをプログラム格納装置１２０より呼び出し、実行する。本ブロック図ではボタンが３つの場合を示しているが、これはボタンの数を限定するものではない。また必要に応じて任意のプログラムを実行するためのプログラムボタン、数字や文字を入力するためのキーボードや１０キーを搭載することも可能である。さらに、ボタンの形状をダイヤル式に変更することも可能である。
【００２１】
入力ペン検出装置１７０は、入力ペン１８０を収納するためのスペースである入力ペン収納部１７１に設けられ、入力ペン１８０が入力ペン収納部１７１から取り出されたことや入力ペン１８０が入力ペン収納部１７１に収納されたことを検知し、結果を制御装置１１０に伝える。
【００２２】
入力ペン１８０は使用者が表示装置１４１に表示されたアイコンやボタンをタップするためのものであり、通常ペンの形状をしている。情報端末１００は使用者が入力ペン１８０を使用しない間に入力ペン１８０を収納しておくことのできる入力ペン収納部１７１を備えており、使用者は必要に応じて入力ペン１８０を入力ペン収納部１７１に収納したり、取り出したりすることができる。
【００２３】
本実施例における情報端末１００は本体内部に図１に示す制御装置１１０、プログラム格納装置１２０、メモリ１３０、表示制御装置１４２、表示用メモリ１４３、タッチパネル制御装置１５２、入力ペン検出装置１７０のブロックの機能を有する制御回路基板を備えており、その上面に表示装置１４１及び表示装置１４１の表面にタッチパネル１５１を重ねたタッチパネル一体型の表示装置を内蔵しており、本体外部に電源ボタン１６１、カーソルボタン１６２、実行ボタン１６３、入力ペン収納部１７１を配置しており、入力ペン収納部１７１の内部に入力ペン検出装置１７０を内蔵した構造となっている。
【００２４】
次に、情報端末１００の動作を説明する。
まず、タッチパネル１５１の入力機能の有効／無効の切り替え方法について説明する。制御装置１１０は内部のタッチパネル制御メモリ（図示せず）に現在のタッチパネルの入力機能が有効であるか無効であるかの情報を保持しており、タッチパネルの入力機能の切り替えを行う際、このメモリの情報を参照して、有効／無効の切り替えを行う。タッチパネル制御メモリには情報端末１００の電源がオンの状態で、入力ペン収納部１７１より入力ペン１８０が取り出された時にタッチパネル１５１の入力機能を有効にする情報が登録される。また、情報端末１００の電源がオンの状態で、入力ペン収納部１７１に入力ペン１８０が収納された時にタッチパネル１５１の入力機能を無効にする情報が登録される。さらに、情報端末１００の電源がオフされると、タッチパネル制御メモリに登録されている情報はリセットされ、タッチパネル１５１の入力機能を無効にする情報が登録される。
【００２５】
さらに、情報端末１００の動作を詳細に説明する。情報端末１００の使用者が電源ボタン１６１を押すことにより、情報端末１００の電源をオンにすることを要求すると、制御装置１１０は、情報端末１００を起動する。また、情報端末１００の使用者が電源ボタン１６１を押すことにより、情報端末１００の電源をオフにすることを要求すると、制御装置１１０は、情報端末１００の電源をオフにする。
【００２６】
入力ペン収納部１７１に入力ペン１８０が収納された状態、あるいは、入力ペン収納部１７１に入力ペン１８０が収納されていない状態で、情報端末１００の使用者が電源ボタン１６１を押すことにより情報端末１００の電源をオンにすることを要求した場合、情報端末１００を起動した後、制御装置１１０はタッチパネル制御メモリにタッチパネル１５１の入力機能を無効にする情報を登録し、タッチパネル制御メモリに登録された無効にする情報を参照し、タッチパネル制御装置１５２にタッチパネル１５１の入力機能を無効にする指示を出し、タッチパネル制御装置１５２はタッチパネル１５１の入力機能を無効にする。同時に、制御装置１１０は、表示制御装置１４２に、タッチパネル１５１の入力機能が無効であることを通知する情報を表示装置１４１に表示する指示を出す。表示制御装置１４２は、タッチパネル１５１の入力機能が無効であることを通知する情報を表示装置１４１に表示する。
【００２７】
情報端末１００の使用者が入力ペン収納部１７１より入力ペン１８０を取り出すと、入力ペン検出装置１７０は入力ペン１８０が取り出されたことを検知し、制御装置１１０に伝える。制御装置１１０は内部のタッチパネル制御メモリにタッチパネル１５１の入力機能を有効にする情報を登録した後、タッチパネル制御メモリに登録された有効にする情報を参照し、タッチパネル制御装置１５２にタッチパネル１５１の機能を有効にする指示を出し、タッチパネル制御装置１５２はタッチパネル１５１の入力機能を有効にする。同時に、制御装置１１０は、表示制御装置１４２に、タッチパネル１５１の入力機能が無効であることを通知する情報を表示装置１４１から消去する指示を出す。表示制御装置１４２は、タッチパネル１５１の入力機能が無効であることを通知する情報を表示装置１４１から消去する。ここで、タッチパネル１５１の入力機能が有効であることを通知する情報を表示装置１４１に表示するようにしても構わない。
【００２８】
タッチパネル１５１の入力機能が有効になると、使用者は入力ペン１８０を用いてタッチパネル１５１により、情報端末１００を操作することが可能となる。また使用者はタッチパネル１５１の入力機能の有効／無効に関わらず、電源ボタン１６１、カーソルボタン１６２、実行ボタン１６３により、情報端末１００を操作することが可能である。
【００２９】
情報端末１００のタッチパネル１５１の入力機能が有効である状態で使用者が入力ペン１８０を入力ペン収納部１７１に収納すると、入力ペン検出装置１７０は入力ペン１８０が収納されたことを検知し、制御装置１１０に伝える。制御装置１１０はタッチパネル制御メモリにタッチパネル１５１を無効にする情報を登録する。制御装置１１０はタッチパネル制御メモリに登録された無効にする情報を参照し、タッチパネル制御装置１５２にタッチパネル１５１の入力機能を無効にする指示を出し、タッチパネル制御装置１５２はタッチパネル１５１の入力機能を無効にする。同時に、制御装置１１０は、表示制御装置１４２に、タッチパネル１５１の入力機能が無効であることを通知する情報を表示装置１４１に表示する指示を出す。表示制御装置１４２は、タッチパネル１５１の入力機能が無効であることを通知する情報を表示装置１４１に表示する。
【００３０】
タッチパネル１５１の入力機能が無効になった場合、使用者は入力装置１６０により、情報端末１００を操作することが可能である。
【００３１】
本実施例で示したように入力ペン１８０の取り出しを検知し、タッチパネル制御メモリを参照してタッチパネル１５１の入力機能の有効／無効を切り替え、かつ、タッチパネル１５１の入力機能の有効／無効を使用者に通知することにより、入力ペン１８０を入力ペン収納部１７１に収納したまま取り出さない場合、入力ペン１８０を紛失したりして見当たらない場合においても、使用者がタッチパネル１５１を情報端末１００に付属する入力ペン１８０以外のもので操作することを防ぎ、タッチパネル１５１の表面が傷つき、タッチパネル１５１の寿命が短縮することを防ぐことができる。
【００３２】
図２に示したフローチャートを用いてタッチパネルの入力機能の有効／無効を切り替える際の動作例を説明する。図２は、本発明における情報端末１００の動作例を示したフローチャートである。
【００３３】
情報端末１００の使用者が電源ボタン１６１を押し、情報端末１００の電源をオンにすると本処理は開始される（ステップＳ４０１）。情報端末１００は電源がオンになり起動した後、タッチパネル制御メモリにタッチパネル１５１の入力機能を無効にする情報を登録し、登録された無効にする情報を参照してタッチパネル１５１の入力機能を無効とし、表示装置１４１にタッチパネル１５１の入力機能が無効であることを通知する情報を表示する（ステップＳ４０２）。入力ペン１８０の収納有無確認処理（ステップＳ４０３）において、入力ペン検出装置１７０により入力ペン１８０が情報端末１００の入力ペン収納部１７１に収納されていないことを検知した場合、処理は入力ペン収納確認処理（ステップＳ４０４）に移る。ステップＳ４０４において情報端末１００の使用者が入力ペン１８０を情報端末１００の入力ペン収納部１７１に収納したことを入力ペン検出装置１７０で検知すると、情報端末１００はステップＳ４０２に戻りタッチパネル１５１の入力機能を無効とし、表示装置１４１にタッチパネル１５１の入力機能が無効であることを通知する情報を表示した後、入力ペン収納有無確認処理（ステップＳ４０３）に戻る。入力ペン収納確認処理（ステップＳ４０４）において、情報端末１００の使用者が入力ペン１８０を情報端末１００の入力ペン収納部１７１に収納しない場合、処理は情報端末１００の電源オフ確認処理（ステップＳ４０７）に移る。
【００３４】
入力ペン１８０の収納有無確認処理（ステップＳ４０３）において、入力ペン検出装置１７０により入力ペン１８０が情報端末１００の入力ペン収納部１７１に収納されていることを検知した場合、処理は入力ペン取出確認処理（ステップＳ４０５）に移る。ステップＳ４０５において情報端末１００の使用者が入力ペン収納部１７１から入力ペン１８０を取り出したことを入力ペン検出装置１７０により検知した場合、情報端末１００はステップＳ４０６においてタッチパネル１５１の入力機能を有効とし、表示装置１４１からタッチパネルの機能が無効であることを通知する情報を消去した後、処理は情報端末１００の電源オフ確認処理（ステップＳ４０７）に移る。入力ペン取出確認処理（ステップＳ４０５）において情報端末１００の使用者が入力ペン収納部１７１から入力ペン１８０を取り出さない場合、処理は情報端末の電源オフ確認処理（ステップＳ４０７）に移る。
【００３５】
情報端末１００の電源オフ確認処理（ステップＳ４０７）において、情報端末１００の使用者が情報端末１００の電源をオフした場合、情報端末１００の動作は終了する（ステップＳ４０８）。情報端末１００の電源オフ確認処理（ステップＳ４０７）において、情報端末１００の使用者が情報端末１００の電源をオフしない場合、処理は入力ペン有無確認処理（ステップＳ４０３）に戻り、上記説明した処理を繰り返す。
【００３６】
以上述べたように、電源オン時にはタッチパネル１５１の入力機能を無効とし、その後情報端末１００の使用者が入力ペン１８０を入力ペン収納部１７１より取り出したことを検知した場合にのみタッチパネル１５１の入力機能を有効にすることにより、入力ペン１８０を入力ペン収納部１７１に収納したまま取り出さない場合や入力ペン１８０を紛失したりして見当たらない場合には、タッチパネル１５１の入力機能を無効にすることができ、かつ、タッチパネル１５１の入力機能の有効／無効を使用者に通知することができるため、使用者がタッチパネル１５１を情報端末１００に付属する入力ペン１８０以外のもので操作することを防ぎ、タッチパネル１５１の表面が傷つき、タッチパネル１５１の寿命が短縮することを防ぐことができる。
【００３７】
ここで、ステップＳ４０２におけるタッチパネル１５１の入力機能が無効であることを通知する情報の表示例について図３を用いて説明する。図３に本発明におけるタッチパネル１５１の入力機能の状態を使用者に通知する表示例を示す。
【００３８】
図３に示すように使用者は表示装置１４１の右上に表示された「Ｔ／Ｐ無効」表示３０１を見ることにより、情報端末１００のタッチパネル１５１の入力機能が無効であることを認識する。
【００３９】
尚、図３では表示装置１４１の右上に「Ｔ／Ｐ無効」と表示してあるが、表示場所、表示内容を限定するものではなく、また、表示装置１４１への表示以外にも、アラームライトの点滅などで通知することも可能である。
【００４０】
以下、本発明における情報端末１００の第２の実施例を図１、２、４を用いて説明する。実施例１では、タッチパネル制御メモリにタッチパネル１５１の入力機能が無効である情報を保持している時は、タッチパネル１５１の入力機能は無効であり、タッチパネル１５１からの入力操作を受け付けないようにしていたが、実施例２では、タッチパネル制御メモリにタッチパネル１５１の入力機能が無効である情報を保持している時は、タッチパネル１５１の入力機能は有効であり、制御装置１１０はタッチパネル１５１からの入力操作を受け付けるが、受け付けた操作内容に対応したプログラムを実行せず、アラーム表示をするようにしている。
【００４１】
図１を用いて本発明における第２の実施例である情報端末１００の動作を説明する。タッチパネル１５１の入力機能の有効／無効の切り替え方法は実施例１と同様である。また情報端末１００の電源オン／オフの動作は実施例１と同様である。
【００４２】
入力ペン収納部１７１に入力ペン１８０が収納された状態、あるいは、入力ペン収納部１７１に入力ペン１８０が収納されていない状態で、情報端末１００の使用者が電源ボタン１６１を押すことにより情報端末１００の電源をオンにすることを要求した場合、情報端末１００を起動した後、制御装置１１０はタッチパネル制御メモリにタッチパネル１５１を無効にする情報を登録する。同時に、制御装置１１０は、表示制御装置１４２に、タッチパネル１５１の入力機能が無効であることを通知する情報を表示装置１４１に表示する指示を出す。表示制御装置１４２は、タッチパネル１５１の入力機能が無効であることを通知する情報を表示装置１４１に表示する。
【００４３】
タッチパネル制御メモリにタッチパネル１５１の入力機能が無効である情報を保持している状態で、情報端末１００の使用者がタッチパネル１５１より、情報端末１００を操作した場合、制御装置１１０はタッチパネル制御装置１５２より使用者からの操作内容を伝えられると、使用者の操作内容に対応したプログラムを実行せず、表示制御装置１４２に、アラーム表示を表示装置１４１に表示する指示を出す。表示制御装置１４２は、アラーム表示を表示装置１４１に表示する。
【００４４】
その後、情報端末１００の使用者が入力ペン収納部１７１より入力ペン１８０を取り出すと、入力ペン検出装置１７０は入力ペン１８０が取り出されたことを検知し、制御装置１１０に伝える。制御装置１１０は内部のタッチパネル制御メモリにタッチパネル１５１の入力機能を有効にする情報を登録する。同時に、制御装置１１０は、表示制御装置１４２に、タッチパネル１５１の入力機能が無効であることを通知する情報及びアラーム表示の表示を表示装置１４１から消去する指示を出す。表示制御装置１４２は、タッチパネル１５１の入力機能が無効であることを通知する情報及びアラーム表示を表示装置１４１から消去する。タッチパネル制御メモリにタッチパネル１５１の入力機能が有効である情報を保持している状態で、情報端末１００の使用者がタッチパネル１５１より、情報端末１００を操作した場合、制御装置１１０はタッチパネル制御装置１５２より使用者からの操作内容を伝えられると、使用者の操作内容に対応したプログラムを実行する。
【００４５】
情報端末１００のタッチパネル１５１の入力機能が有効である状態で使用者が入力ペン１８０を入力ペン収納部１７１に収納すると、入力ペン検出装置１７０は入力ペン１８０が収納されたことを検知し、制御装置１１０に伝える。制御装置１１０はタッチパネル制御メモリにタッチパネル１５１を無効にする情報を登録する。同時に、制御装置１１０は、表示制御装置１４２に、タッチパネル１５１の入力機能が無効であることを通知する情報を表示装置１４１に表示する指示を出す。表示制御装置１４２は、タッチパネル１５１の入力機能が無効であることを通知する情報を表示装置１４１に表示する。タッチパネル制御メモリにタッチパネル１５１の入力機能が無効である情報を保持している状態で、情報端末１００の使用者がタッチパネル１５１より、情報端末１００を操作した場合、制御装置１１０はタッチパネル制御装置１５２より使用者からの入力信号を伝えられると、使用者の入力に対応したプログラムを実行せず、表示制御装置１４２に、アラーム表示を表示装置１４１に表示する指示を出す。表示制御装置１４２は、アラーム表示を表示装置１４１に表示する。
【００４６】
本実施例では、アラーム表示を消去するタイミングについては、タッチパネル制御メモリにタッチパネル１５１の入力機能を有効にする情報が登録されると、アラーム表示を消去するようにしたが、入力ペン１８０を取り出してタッチパネル１５１の入力機能を有効とした後、情報端末１００の使用者がタッチパネル１５１より、アラーム表示を消去する操作を行なうと、アラーム表示が消去されるようにしても構わない。さらには、アラーム表示を所定の時間表示し、所定時間後は消去するようにしても構わないし、タッチパネル１５１の入力機能の有効／無効に関わらず、入力装置１６０により、アラーム表示を消去することにしても構わない。
【００４７】
図２に示したフローチャートを用いて本発明におけ第２の情報端末１００の動作例を説明する。実施例１との違いは、ステップＳ４０２において、情報端末１００は、タッチパネル制御メモリにタッチパネル１５１の入力機能を無効にする情報を登録し、表示装置１４１にタッチパネル１５１の入力機能が無効であることを通知する情報を表示した後、使用者がタッチパネル１５１より、情報端末１００を操作した場合、表示装置１４１にタッチパネル１５１からの入力操作ができないことを通知するアラーム表示をする点である。
【００４８】
図４に、本発明における情報端末１００の第２の表示例を示す。図４に示すように、表示装置１４１にタッチパネル１５１からの入力操作ができないことのアラーム表示４０１を大きくすることにより、使用者がタッチパネル１５１からの入力操作ができないことを認識しやすくできる。そのため、さらにタッチパネル１５１の表面の傷つきを防止することができる。
【００４９】
以上、本発明における情報端末の構成例、動作例、タッチパネルの入力機能の状態の通知方法の実施例を示したが、本実施例は本発明を限定するものではなく本発明の主旨を変えない限り、上記記載内容に限定されるものではない。
【図面の簡単な説明】
【００５０】
【図１】本発明における情報端末の構成例を示したブロック図である。
【図２】本発明における情報端末の動作例を示したフローチャートである。
【図３】本発明におけるタッチパネルの入力機能の状態を使用者に通知する表示例である。
【図４】本発明における情報端末の第２の表示例である。
【符号の説明】
【００５１】
１００…情報端末、１１０…制御装置、１２０…プログラム格納装置、
１３０…メモリ、１４０…表示機能部、１４１…表示装置、１４２…表示制御装置、
１４３…表示用メモリ、１５０…ペン入力装置、１５１…タッチパネル、
１５２…タッチパネル制御装置、１６０…入力装置、１６１…電源ボタン、
１６２…カーソルボタン、１６３…実行ボタン、１７０…入力ペン検出装置、
１７１…入力ペン収納部、１８０…入力ペン、３０１…「Ｔ／Ｐ無効」表示、
４０１…アラーム表示
【図１】
2007249439.tif 000003
【図２】
2007249439.tif 000004
【図３】
2007249439.tif 000005
【図４】
2007249439.tif 000006